(57)【要約】【課題】１次側ポートと２次側ポートを開口部を有する隔壁で隔てた消化栓の点検用継手では、放水点検装置のアダプタを隔壁の開口部と水密に接続させる際に、アダプタを周回させながら挿入すると、先端のＯリングに周回方向の力が加わり、水密性が低下するおそれがあった。【解決手段】アダプタ接続口の外周側面にはネジ山が形成し、接続口の内径は、隔壁の開口部の内径より大きくすることによって、アダプタは開口部の内壁に押し込み挿入されるだけで水密に接続される。【選択図】図２
2011056108.tif 000002
【特許請求の範囲】
【請求項１】
流入口に続いて形成された１次側ポートと、
流出口へ続くように形成され、外部へ開口する接続口を有する２次側ポートと、
前記１次側ポートと前記２次側ポートの間を貫通孔を有する隔壁で隔てた消火栓の点検用継手であって、
前記接続口の外周側面にはネジ山が形成され、
前記接続口の内径は、前記貫通孔の内径より大きいことを特徴とする点検用継手。
【発明の詳細な説明】
【技術分野】
【０００１】
本発明は、流体の流路を切り替える継手に関するものであり、特に消火栓装置で放出点検を行う際に放出水の流路を消火用ホースから放出点検装置へ切り替える点検用継手に関する。
【背景技術】
【０００２】
トンネルや駐車場等に設置される消火栓装置は、消火剤供給源に連結されホース収納部に巻き込まれたホースとホース先端に取り付けられた放水ノズルを含む。このホース収納部に巻回されたホースは、必要量だけ引き出された状態で放水されるので、ホース収納部に巻回された状態で通水できるように保形ホースやゴムホースなどで構成されている。
【０００３】
消火栓装置は、緊急時に作動することが必要であり、消火栓が要求される放水量や放水圧力が規定の値を満足しているか否かは、定期的に点検される必要がある。すなわち、実際の使用状態の下で、放水ノズルからの放水量や放水圧力を確認しなければならない。
【０００４】
しかし、点検後に消火栓を元の状態に戻すには、流水通路とホース内の水を排水し、ホース内を乾燥させなければならず、大変時間と手間がかかる作業であった。
【０００５】
この問題を解決するために、消火栓装置には、三方切替弁や点検用継手を流水路中に設け、消火用ホースの直前で、放水点検装置に流水路を切り替えていた。
【０００６】
図４は、消火栓装置９０の概略図である。消化水は、給水管９１から給水接続口９２を介して消火栓装置９０に導入され、消火栓弁９３とそれに続く調圧装置９４から配管９５を経由して消火用ホース９６が収納されている収納部９８に接続されている。
【０００７】
使用の際には、消火用ホース９６の先端の放水ノズル９７を引き出し、現場までホース収納部９８からホースを繰り出しながら放水ノズル９７を移動させる。また、通常は、放水ノズルの引き出しの際に、ワイヤーや電気式起動手段によって消火ポンプや消火栓弁９３、調圧装置９４が駆動されるようにして、使用者は放水しながら現場に向かうことになる。
【０００８】
点検用の三方切換弁や点検用継手８０は、消火用ホース９６の直前に配置される。点検時には、実際の放水状態に近い状態で点検を行いたいので、消火栓弁９３や調圧装置９４といった駆動箇所の後に配置するのが好適であるからである。
【０００９】
図５には、特許文献１による点検用継手８０に放水用点検装置を接続した状態を示す。点検用継手８０は、三方切替弁などの流路変更を弁で行う場合と異なり、点検後の弁の切り戻し忘れという問題が生じない。また、玉型弁を使うことによって、小さなスペースで流路切替が可能である。このことは、トンネル等の限られた場所で、壁からの突出長に制限がある消火栓の場合は、特に重要な考慮点となる。
【００１０】
点検用継手８０は、１次側ポート８１と、２次側ポート８２が配設されており、それらの間を仕切る隔壁８３を有している。隔壁８３には、１次側ポート８１と２次側ポート８２を連通させる開口部８４がある。そしてその開口部８４には弁座８５が配置されている。また、流水路と直角方向には１次側ポート８１と２次側ポート８２を外部と連通させる開口部８６，８７が形成されている。通常は、これらの開口部は蓋８８，８９によって閉じられており、１次側ポート８１から流入した消火水は、隔壁８３に設けられた開口部８４を通じて２次ポート８２に流れ、消火用ホースに供給される。
【００１１】
点検用継手８０には、点検用ノズル７４、点検用ホース７５、アダプタ７６を有する放水点検装置７０が接続される。そのため、点検用継手８０の２次側ポート８２の蓋８９は、放水点検装置７０の接続用のアダプタ７６を受け入れるアダプタ接続口７９とされている。
【００１２】
図６には、点検用継手８０に、アダプタ７６を挿入した状態の断面図を示す。アダプタの先端は弁座８５の内壁とＯリング７１を介して密着するように挿入される。アダプタ接続口７９の内壁にはネジ７７が切ってあり、対応するアダプタの位置に着られたネジが螺合する。従って、アダプタ７６の側壁は２次側ポート８２内を貫通し、１次側ポート８１内と点検用ホース内７６を水密に接合する。
【先行技術文献】
【特許文献】
【００１３】
【特許文献１】特開２００３−３８６７６号
【発明の概要】
【発明が解決しようとする課題】
【００１４】
しかし、特許文献１の点検用継手は、アダプタ先端の側面にＯリング７１を配置し、なおかつ、アダプタ接続口７９の内壁にネジ山７７が形成されているので、アダプタを回転させながら固定しなければならず、Ｏリング７１にアダプタ側面を周回する方向と、それに直角な方向の２方向からの力が加わることとなる。これは、ＯリングがＯリング溝（図示せず）のなかで、たるんだり、またＯリング溝からはずれたりするおそれを生じさせる。すなわち、１次側ポートの水密性を担保できなくなるおそれがあるという課題があった。
【００１５】
また、アダプタ接続口の内壁のネジ山でアダプタを螺合するため、アダプタ接続口の内径とアダプタの外径はほぼ同じにしなければならない。すると、アダプタ接続口から挿入されたアダプタ先端は弁座の内径とほぼ同一であると、アダプタの挿入時に寸法的な余裕がなくなり、挿入しにくいという課題も生じる。
【課題を解決するための手段】
【００１６】
本発明は上記の課題に鑑みて想到されたものであり、アダプタの先端を開口部に差し込む際に周回方向にねじ込む必要のない接続機構を有する点検用継手を提供するものである。具体的には、流入口に続いて形成された１次側ポートと、
流出口へ続くように形成され、外部へ開口する接続口を有する２次側ポートと、
前記１次側ポートと前記２次側ポートの間を貫通孔を有する隔壁で隔てた消火栓の点検用継手であって、
前記接続口の外周側面にはネジ山が形成され、
前記接続口の内径は、前記貫通孔の内径より大きいことを特徴とする点検用継手を提供する。
【発明の効果】
【００１７】
本発明の点検用継手は、アダプタ接続口７９の内径がアダプタ７６の外径より大きく、また、アダプタ接続口７９の外周に施したネジで放水点検装置７０と固定するようにしたので、アダプタを点検用継手に接続させる際に、アダプタ７６の先端を隔壁の開口部の内壁に対して周回させる必要がなく、Ｏリングに差し込み方向以外の余計な力が加わらない。従って、１次側ポートからの水が２次側ポートに漏れだすおそれが低くなるという効果を奏する。
【００１８】
また、アダプタ接続口の外側をアダプタの外径より大きくしたので、アダプタの挿入時に寸法的な余裕ができ、挿入しやすくなるという効果も奏する。
【図面の簡単な説明】
【００１９】
【図１】本発明の点検用継手の断面を示す図である。
【図２】本発明の点検用継手に放水点検装置のアダプタを接続させた状態を示す断面図である。
【図３】本発明のアダプタ接続口と放水点検装置のアダプタ周辺を示す断面図である。
【図４】消化栓の概略図である。
【図５】従来の点検用継ぎ手と放水点検装置の関係を示す図である。
【図６】従来の点検用継手に放水点検装置を接続した様子を示す図である。
【発明を実施するための形態】
【００２０】
図１には、本発明の点検用継手１０の断面を示す。点検用継手１０は、１次側ポート１１と、２次側ポート１２と、アダプタ接続口１３と、アダプタ接続口蓋１４と、隔壁１５と、開口部１６を有する。さらに、配管との接続のために接続用のフランジ１７を有していてもよい。また、開口部１６の内面はＯリングを介した接続で十分に水密が確保できる程度の表面性を有する。ただし、表面性の確保のために弁座を別途設けてもよい。
【００２１】
１次側ポート１１は、調圧装置側に接続される。２次側ポート１２は、消火用ホースに接続される。１次側ポート１１と２次側ポート１２は隔壁１５で隔てられており、隔壁１５には開口箇所が設けられている。開口部１６はアダプタ接続口１３と軸芯を同一にされているのが望ましい。
【００２２】
アダプタ接続口１３は、その内径２０がアダプタの外径より大きく形成されている。内径とアダプタの外径の大きさの差は、特に限定されないが、通常は数ｍｍ程度でよい。
【００２３】
アダプタ接続口１３は、点検用継手から円筒状に突設されており、外部への開口端の外周側面にはネジ山２１が形成されている。アダプタ接続口１３の内壁は、Ｏリングを介した接続によって十分に水密が確保できる程度に滑らかな表面性を有する。アダプタ接続口１３は、通常キャップ型の蓋１４によって閉鎖されている。キャップ型蓋１４はキャップ内壁に溝加工が施してあり、アダプタ接続口１３の外周側面のネジ山２１と螺合する。
【００２４】
またキャップ型蓋の内側には、内筒２２が立ててあり、内筒２２の外周にはＯリング２３が配置されている。通常、放水点検を行わない時には、このＯリング２３は、点検用継手１０の内部と外部を水密に遮断している。
【００２５】
図２には、放水点検装置のアダプタを点検用継手に挿入した場合を示す。放水点検装置は、アダプタとアダプタに接続された点検用ホースと、点検用ホースのアダプタと反対側の端部に接続された圧力計と点検用ノズルからなる。放水点検装置は、点検用継手の１次側ポートに供給される消火用水を消火用ホースの代わりに通水して、流量や圧力を確認するために使われる。従って、ホース内径やノズルの内径は消火用ホースや放水ノズルの内径と同じに加工されるのが好ましい。
【００２６】
本発明の点検用継手に対しては、適合するアダプタを有する放水点検装置が必要である。そのアダプタ３０は、点検用ホースに接続された結合金具受け口２９に嵌合固定される結合金具差し口３１と、結合金具差し口３１に螺合固定される筒部３２と、結合金具差し口３１に通され、結合金具差し口３１の側面を移動可能に配置された押し輪ネジ３３からなる。
【００２７】
結合金具受け口２９は、点検用ホースに接合されており、ホースとの接合部分は十分な水圧に耐えることができる。結合金具差し口３１は結合金具受け口２９に挿入固定されるが、水密に固定されれば、固定の方法は限定されない。
【００２８】
結合金具差し口３１は、結合金具受け口２９への挿入部分から先（ホースの反対側）で、外径が縮径する。そして、結合金具差し口３１には、押し輪ネジ３３が通される。押し輪ネジ３３は、内壁にネジ山が形成され一方が閉鎖された筒状のナットで、閉鎖された部分にネジ山が形成された内壁の内径より小さな貫通孔が形成されたものである。言い換えると、袋ナットの袋部分に貫通孔が形成された形状である。
【００２９】
結合金具差し口３１の結合金具受け口２９への挿入部分の反対の端部は、外周にネジ山が形成されている。そして、筒部３２の一端の内壁には同じくネジ山が形成されている。そして、筒部３２は、結合金具差し口に螺合固定される。筒部３２の反対端（アダプタ３０の先端にあたる）は、外径を縮径加工されており、その縮径部分にＯリング溝３４が形成され、Ｏリング３５が配置されている。縮径加工された筒部の外径は、隔壁１５に形成された開口部１６の内径とマイナス公差の範囲で同じである。また、筒部３２の縮径加工されていない部分の外径は、アダプタ接続口の内径よりも小さい。
【００３０】
なお、押し輪ネジ３３の貫通孔の内径は、結合金具差し口の外径より大きく、結合金具受け口２９への挿入部分の外径および筒部３２の外径より小さい。従って、結合金具差し口３１を結合金具受け口２９に装着後、押し輪ネジ３３を結合金具差し口３１に通し、筒部３２を結合金具差し口に固定すると、押し輪ネジ３３は、筒部３２と結合金具受け口２９の間で移動可能に配置される。図２では、結合金具差し口３１と押し輪ネジ３３の隙間はほとんどないように示したが、この間は、ある程度の隙間はあってもよい。
【００３１】
消火栓を設置後は、所定の期間毎に消火栓は点検を受ける。消火ポンプや消火栓弁、調圧装置が正常に作動するかを確認するためである。その際には、点検用継手１０のキャップ型蓋を取り外し、アダプタ接続口１３にアダプタ３０を挿入する。アダプタ３０の先端は、さらに点検用継手の隔壁１５に形成された開口部１６にも挿入される。
【００３２】
図３を参照して、この際、まずアダプタ接続口１３の内径は筒部３２より大きいので、クリアランス４０を有し、挿入するのは容易である。また、クリアランス４０によって、アダプタ３０の先端は、隔壁１５の開口部１６に挿入方向へ押圧をかけるだけで、挿入される。言い換えると、アダプタ３０を周回させながら挿入する必要がないので、アダプタ３０の先端のＯリング３５に不要な力が加わらない。
【００３３】
なお、クリアランス４０は、アダプタ３０の先端のＯリングの外径と筒部３２の外径の差の１／２より大きいのが望ましい。アダプタ接続口１３を通過する際にアダプタ３０の先端のＯリングが内壁に当たらない方が挿入しやすいからである。また、アダプタ接続口１３の内径の２０％よりは小さい。アダプタ接続口の内径が大きすぎると、通常の使用時に、蓋に圧力がかかりすぎるからである。
【００３４】
アダプタ３０の先端が開口部１６に挿入されたら押し輪ネジ３３をアダプタ接続口１３に突き当て、周回させることで、アダプタ３０と点検用継手１０は水密に接続される。このように、本発明の点検用継手は、点検時には１次側ポートとアダプタの水密性を確保するだけで、２次側ポートとアダプタ接続口の間の水密は確保していない。点検時といえども、１次側ポートからは放水点検装置の放水ノズルという解放端が接続されるので、１次側ポートとアダプタの水密をOリングで確保すれば十分だからである。
【００３５】
以上のように本発明の点検用継手は、放水点検装置のアダプタを接続するアダプタ接続口の内径をアダプタの外径より大きくし、アダプタ接続口の外周側面にネジを形成したので、放水点検装置のアダプタをアダプタ挿入口に挿入する際に、スムースに挿入でき、なおかつアダプタを周回せずにアダプタ先端を隔壁の開口部に挿入・固定できるので、Ｏリングへの負担が少なく、水密を保持したまま放水典型装置を接続することができる。
【産業上の利用可能性】
【００３６】
本発明は消火栓の点検用継手だけでなく、一次的にアダプタを挿入することで流路を変更する流路変更手段として利用することができる。
【符号の説明】
【００３７】
１０  点検用継手
１１  １次側ポート
１２  ２次側ポート
１３  アダプタ接続口
１４  キャップ型蓋
１７  フランジ
１５  隔壁
１６  開口部
２０  内径
２１  ネジ山
２２  内筒
２３  Ｏリング
２９  結合金具受け口
３０  アダプタ
３１  結合金具差し口
３２  筒部
３３  押し輪ネジ
３４  Ｏリング溝
３５  Ｏリング
４０  クリアランス
７０  放水点検装置
７１  Ｏリング
７４  点検用ノズル
７６  アダプタ
７７  ネジ
７９  アダプタ接続口
８０  点検用継手
８１  １次側ポート
８２  ２次側ポート
８３  隔壁
８４  開口部
８５  弁座
８６、８７  開口部
８８、８９  蓋
９０  消火栓装置
９１  給水管
９２  給水接続口
９３  消火栓弁
９４  調圧装置
９５  配管
９６  消火用ホース
９７  放水ノズル
９８  ホース収納部
【図１】
2011056108.tif 000003
【図２】
2011056108.tif 000004
【図３】
2011056108.tif 000005
【図４】
2011056108.tif 000006
【図５】
2011056108.tif 000007
【図６】
2011056108.tif 000008